(57)【特許請求の範囲】
【請求項１】
多量の包装されていない物体を運ぶための箱において、
前記多量の包装されていない物体を運ぶためのチャンバを囲む側壁（１０１、１０３、１０４、１０５）と、
それぞれ前記側壁と連結され、互いに対向する位置に配される底部壁（１０６）および上部壁（１０２）と、
前記箱の第１の壁に画定されるフラップと、
を含み、
前記フラップは、付着ライン（１０７）に沿って前記第１の壁に蝶番式に取り付けられ、前記フラップは、前記付着ラインに沿って、かつ角度をなして前記第１の壁のエッジに連結された第２の壁に向かって、前記箱の前記チャンバ内へと旋回可能であり、前記フラップは、前記上部壁に平行な方向に延びる幅（１１１）、および前記幅に垂直であり、前記付着ラインから前記フラップの自由端部まで延びる高さ（１１２）を有し、
前記付着ラインは、前記第２の壁が連結される前記第１の壁の前記エッジから離間し、かつ前記エッジの方向に沿って延び、
前記フラップの前記高さは、前記付着ラインと、前記第２の壁が連結される前記第１の壁の前記エッジとの間の距離（１１３）より長く、
前記箱は、少なくとも１つの外側ケーシング（１１４）、および前記外側ケーシング内部にスライド可能に収容される少なくとも１つの内側ケーシング（１１５）を含み、前記外側ケーシングおよび内側ケーシングは、第１の閉鎖構成と第２の開放構成との間で相対的に移動することができ、
前記外側ケーシングは、前記箱の前記底部壁を構成する基部と、側壁と、前記基部に対向し、前記内側ケーシングを収容するのに役立つ開口端部と、を含み、
前記内側ケーシングは、前記箱の前記上部壁を構成する基部と、側壁と、を含み、
前記第１の壁は、前記内側ケーシングの前記側壁のいずれか一つから形成され、
前記第２の壁は、前記内側ケーシングの前記基部であり、
前記内側ケーシングは、その前記基部に対向する開口端部をさらに含む、箱。
【請求項２】
請求項１に記載の箱において、
前記フラップは、直角であるか、マルチアングル状であるか、卵型であるか、または丸みを帯びている、箱。
【請求項３】
請求項１に記載の箱において、
前記フラップの前記幅は、前記第１の壁の幅と少なくとも等しい、箱。
【請求項４】
請求項１に記載の箱において、
前記フラップは、脆弱化ラインによって前記第１の壁に画定されたタブにより形成される、箱。
【請求項５】
請求項４に記載の箱において、
前記脆弱化ラインは、貫通しない脆弱化ラインである、箱。
【請求項６】
請求項５に記載の箱において、
前記貫通しない脆弱化ラインは、ノッチラインである、箱。
【請求項７】
請求項１に記載の箱において、
前記箱は、ボール紙、紙、ポリマー、ジメチル−２，６−ナフタレンジカルボン酸または２，６−ナフタレンジカルボン酸モノマーベースのポリマー、ポリエチレンナフタレート（ＰＥＮ）またはポリトリメチレンナフタレート（ＰＴＮ）、アクリロニトリルとメタクリレートとのコポリマー、および液晶ポリマー、ならびにこれらの任意の組み合わせからなる群から選択された材料から製造される、箱。
【請求項８】
請求項７に記載の箱において、
前記壁は、少なくとも２枚のシートの積層体であり、
前記シートはそれぞれ、ボール紙、紙、ポリマー、ジメチル−２，６−ナフタレンジカルボン酸または２，６−ナフタレンジカルボン酸モノマーベースのポリマー、ポリエチレンナフタレート（ＰＥＮ）またはポリトリメチレンナフタレート（ＰＴＮ）、アクリロニトリルとメタクリレートとのコポリマー、および液晶ポリマー、ならびにこれらの任意の組み合わせからなる群から選択される材料で形成される、箱。
【請求項９】
請求項１に記載の箱において、
前記箱は、たばこ依存症を治療するための１つまたは複数の物質を含む、固体または半固体の製薬剤形のためのパッケージである、箱。
【請求項１０】
請求項９に記載の箱において、
前記固体または半固体の製薬剤形は、チューインガム、トローチ剤、および錠剤からなる群から選択される、箱。
【請求項１１】
請求項９に記載の箱において、
前記たばこ依存症を治療するための物質は、ニコチン、およびその任意の形態である、箱。
【発明の詳細な説明】
【開示の内容】
【０００１】
〔発明の分野〕
本発明は、概して、包みの分野に関し、具体的には、多量の包装していない物体（loose objects）用の箱の形態をしたパッケージに関する。より具体的には、本発明は、多量の包装していない物体を運ぶチャンバを囲むそのような箱のための開封構成に関する。
【０００２】
〔発明の背景〕
箱などのパッケージは、多量の包装していない物体からの個々の物体を運び、パッケージの開口部を通じて１回に１個ずつ分配するために、これまで提案されてきた。
【０００３】
ニコチンを含むチューインガムなどの医薬品を含む物体を運ぶためのパッケージに関して、開封するとすぐに分かる開口部（tamper-evident opening）を有することは非常に重要である。このような方法で、消費者、およびパッケージの買主は、包装されてから中身が操作されていないこと、および、適正量の物体がパッケージ内にあることが分かる。
【０００４】
先行技術のパッケージは、この目的のために、穿孔部など、指標となる刻み目ライン（indicative score lines）を破損することによって作られる開口部を用いており、刻み目ラインの破損により、非可逆性開口部がパッケージに作られる。こうして、干渉の証拠が確実とされてきた。
【０００５】
米国特許第４，１９４，６３２号は、上部閉鎖パネルがボール箱の前壁に蝶番式に接続された、分配用ボール箱を開示している。この上部閉鎖パネルは、鋲で留められて、分配用開口部を囲む下部パネルのエッジと密封係合する、タブを有する。上部閉鎖パネルは、ボール箱内部へと延びる、側方パネルを有する。分配用開口部は、上部閉鎖パネルを下部パネルと再び当接係合するように戻すことによって、再密封される。しかしながら、米国特許第４，１９４，６３２号に開示された分配用ボール箱の分配用開口部は、分配されるべき物体が下部パネルと前壁または後壁との間の隅に詰まらないことを確実とするように、上部閉鎖パネルのエッジおよび下部パネルに隣接して配されなければならない。また、分配される物体の数を制御するのが難しい。これは、前壁または後壁が分配用開口部のエッジと完全に同一の空間を占めているため、徐々に分配する行動をとることができないからである。
【０００６】
国際特許出願ＷＯ２００６／１３１８３０は、外側ケーシング、および小さな開口部を備えた内側ケーシングで構成された、包装されていない錠剤型の砂糖菓子およびチューインガム用の剛性の包みを開示しており、内側ケーシングは、外側ケーシング内にスライド可能に配列される。よって、この包みは、開放構成と、開口部が外側ケーシングによって隠れる閉鎖構成との間を移動することができる。しかしながら、ＷＯ２００６／１３１８３０に開示された剛性の包みは、包装されていない物体が下部パネルと前壁または後壁との間の隅に詰まる傾向のある開口部を備えている。また、分配される物体の数を制御するのが難しい。これは、前壁または後壁が分配用開口部のエッジと完全に同一の空間を占めているため、徐々に分配する行動をとることができないからである。さらに、ＷＯ２００６／１３１８３０の剛性のパッケージは、開封するとすぐに分かる開口部を有していない。
【０００７】
よって、チューインガム、トローチ剤、錠剤、砂糖菓子などといった、多量の包装されていない物体を収容し、分配するための新規な箱が必要とされている。より具体的には、多量の包装されていない物体を運ぶためのチャンバを囲み、干渉の証拠を可能にすると同時に、分配用開口部を、側壁、上壁、底壁、前壁、または後壁のうちの２つの間のエッジに隣接させて配するのではなく、これらの壁の一部に配して、物体がそれらの壁の間の隅に詰まる危険を冒さず、かつ、物体を徐々に分配することを可能にする、そのような箱の新しい開封構成が必要とされている。
【０００８】
〔発明の概要〕
したがって、本発明は、好ましくは、当技術分野における前記に特定した欠陥、および不利益のうちの１つまたは複数を、単独に、または任意の組み合わせで、軽減、緩和、または排除しようとしており、かつ、多量の包装されていない物体用の箱を提供することにより、前述した問題を少なくとも解決する。この箱は、この多量の包装されていない物体を運ぶためのチャンバを囲む壁と、タブと、を含み、タブは、壁に対して位置付け可能なフラップを形成し、物体は、フラップとフラップ付近の箱の１つまたは複数の壁との間に形成される角においてフラップの後ろに捕らえられたり捕捉されたりせずに箱から容易に分配されるようになっている。一実施形態によると、タブは、箱の第１の壁の脆弱化ラインにより画定されてよく、このタブは、脆弱化ラインが破損されるとフラップを形成する。フラップは、脆弱化ラインの端部間の付着ラインを用いて、箱の第１の壁に蝶番式に取り付けられることができ、フラップは、脆弱化ラインが破損された後、箱のチャンバ内へと旋回可能である。タブは、付着ラインに実質的に平行な方向における幅と、付着ラインに垂直な方向における高さと、を有する。好ましくは、この幅は、フラップとフラップ付近の箱の１つまたは複数の壁との間に形成された角においてフラップの後ろに物体が捕らえられたり捕捉されたりするのを抑制し、好ましくは妨げる最適な位置に、脆弱化ラインの破損時に形成されたフラップを保持するように選択される。
【０００９】
よって、本発明の一態様によると、干渉の証拠を可能にする箱が提供される。
【００１０】
本発明の別の態様によると、分配用開口部を、側壁、上壁、底壁、前壁、または後壁のうちの２つの間のエッジに隣接させて設置するのではなく、そのような壁の一部に設置することを可能にする箱が提供される。
【００１１】
本発明の別の態様によると、物体を徐々に分配することを可能にする箱が提供される。
【００１２】
本発明の別の態様によると、分配用開口部を、側壁、上壁、底壁、前壁、または後壁のうちの２つの間のエッジに隣接させて設置するのではなく、これらの壁の一部に設置することを可能にして、物体がそれらの壁の間に形成される隅に詰まる危険を冒さない、箱が提供される。
【００１３】
本発明の別の態様によると、開封フラップを開放位置に保持することを改善することのできる箱が提供される。
【００１４】
本発明の別の態様によると、開封フラップを開放位置に保持することを改善することができると共に、物体を箱の内側に保持することを可能にする、箱が提供される。
【００１５】
本発明が可能なこれらおよび他の態様、特徴、および利点は、本発明の実施形態に関する以下の説明、添付図面への参照により、明らかとなり、はっきりと説明されるであろう。
【００１６】
〔実施形態の詳細な説明〕
以下の説明は、包装されていない物体を運び、分配するための箱、具体的には、ニコチンを含むチューインガムを運び、分配するための箱に適用可能な、本発明の実施形態に注目する。しかしながら、本発明はこの適用に限定されるものではなく、本発明の範囲から逸脱しない、多くの他の分配用箱、例えば、ニコチンおよびその任意の形態など、たばこ依存症を治療するための１つまたは複数の物質を含む製薬剤形といった、固体または半固体の物体を運ぶための箱、ならびに、例えばトローチ剤、錠剤、砂糖菓子などを分配するための箱、にも適用され得ることが、理解されるであろう。
【００１７】
図１〜図４に示す第１の実施形態によると、多量の包装されていない物体を運ぶための箱１００が提供される。箱１００は、典型的には、ブランクを折り畳むことにより製造され、また、ボール紙（carton）、紙、ポリマー（ジメチル−２，６−ナフタレンジカルボン酸または２，６−ナフタレンジカルボン酸モノマー（dimethyl-2,6-naphtalene dicarboxylic or 2,6-naphtalene dicarboxylic acid monomers）ベースのポリマー、例えばポリエチレンナフタレート（ＰＥＮ）またはポリトリメチレンナフタレート（ＰＴＮ）、アクリロニトリルとメタクリレートとのコポリマー（Barex（登録商標）の商品名でB.P.-Sohioが販売）、および液晶ポリマーなど）、ならびに、これらの材料の任意の組み合わせを含む群から選択された、折り畳み可能な材料から製造され得る。箱１００がボール紙、紙、または厚紙の箱である場合、製造コストが低く維持され得ると同時に、複数の箱の複数包装（multi-packaging）について十分な強度が保たれる。箱１００が、ポリマー、例えば、ジメチル−２，６−ナフタレンジカルボン酸または２，６−ナフタレンジカルボン酸モノマーベースのポリマー、例えばポリエチレンナフタレート（ＰＥＮ）またはポリトリメチレンナフタレート（ＰＴＮ）、アクリロニトリルとメタクリレートとのコポリマー（Barex（登録商標）の商品名でB.P.-Sohioが販売）から形成される場合、箱とその中身（例えばニコチン）との間の反応は、最小限に抑えられ得る。
【００１８】
箱の壁は、少なくとも２枚のシートの積層体であってもよく、これらのシートはそれぞれ、ボール紙、紙、ポリマー（ジメチル−２，６−ナフタレンジカルボン酸または２，６−ナフタレンジカルボン酸モノマーベースのポリマー、例えばポリエチレンナフタレート（ＰＥＮ）またはポリトリメチレンナフタレート（ＰＴＮ）、アクリロニトリルとメタクリレートとのコポリマー（Barex（登録商標）の商品名でB.P.-Sohioが販売）、および液晶ポリマーなど）、ならびにこれらの材料の任意の組み合わせからなる群から選択される材料でできている。
【００１９】
壁の内側は、箱の内部を、乾燥し、かつ酸素が通らない（oxygen tight）状態に保つのに適した材料で覆われてよい。箱の壁の内部を覆う適切な材料は、アルミホイルなどの金属ホイルである。
【００２０】
箱１００は、前壁１０３、後壁１０４、これら前壁１０３および後壁１０４の対向するエッジを接続する側壁１０１、１０５、ならびに、側壁１０１、１０５と前壁１０３および後壁１０４それぞれとの間にある端壁１０２、１０６を備えた、直角な六面の箱である。箱１００の壁は、物体、特に包装されていない物体を運ぶためのチャンバを囲む。
【００２１】
箱１００が、図１〜図４に示す例示的な実施形態に従って、六面で直角の箱である場合、複数の箱の包装および輸送が改善される。これは、六面で直角の箱は、複数包装において、容積効率がよい（volume effective）ためである。しかしながら、箱１００の形状、箱１００の境界を構成する壁の数は、異なっていてよい。この点において、箱１００の壁の数は、二つ（２つ）、三つ（３つ）、四つ（４つ）、五つ（５つ）などであってよく、そのため、壁が、好ましくは多量の包装されていない物体を運ぶためのチャンバを画定する限り、壁は必ずしも平坦でなくてよく、壁と壁との間の角度は、必ずしも直角でなくてよい。
【００２２】
側壁のうちの１つ、例えば第１の側壁１０１において、少なくとも１本の脆弱化ラインにより画定されるタブ１１０が設けられる。この脆弱化ラインは、ノッチラインまたはミシン目ライン（perforation line）であってよい。ノッチラインは、この状況では、連続または非連続のノッチのラインと解釈されることを意図しており、ノッチは、材料の厚さ全体を通り抜けず、材料の厚さの一部を通るに過ぎないが、ミシン目ラインは、この状況では、ミシン目のラインと解釈されることを意図しており、ミシン目は、材料の厚さ全体を通り抜ける。脆弱化ラインがミシン目ラインまたはノッチラインである場合、このような脆弱化ラインは、折り畳まれて箱１００となるブランクが実施される場合と同じ処理工程で作られることができる。ミシン目またはノッチ切断ツールが、ブランクを切り取る切断ツールに対して、適切な位置に配列され得るか、あるいは、ブランクを切断するダイスに組み込まれ得る。図１の例示的な脆弱化ラインは、２つの脆弱化ライン端部１０８、１０９を有する。また、脆弱化ラインがノッチラインである場合、箱のチャンバは、周囲から分離されたままとなり得るので、その中に保持される物体にとって所定の環境を有する。ニコチンを含む物体の場合、そのような所定の環境は、非常に有益となり得る。というのは、ニコチンは、周囲の外気の成分と反応し得るためである。
【００２３】
使用中、脆弱化ラインは破損され、脆弱化ラインにより画定されたタブ１１０が、フラップを形成する。フラップは、脆弱化ラインの端部１０８、１０９間に作られた付着ライン１０７を用いて、タブ１１０が形成された側壁、すなわち箱１００の第１の壁１０１に蝶番式に取り付けられる。フラップは次に、開放構成へと動いた際の旋回位置にあるフラップを示す極めて細い線によって図３に示すように、脆弱化ラインが破損された後で箱１００のチャンバ内へと旋回可能である。
【００２４】
タブ１１０は、実質的に直角な形状、例えば、実質的に矩形の形状であってよく、脆弱化ラインの破損後に作られるフラップも、実質的に直角、例えば実質的に矩形の形状である。タブ１１０、およびこのタブから作られるフラップは、前壁１０３と後壁１０４との間に（かつ側壁１０１に沿って）延び、好ましくは付着ライン１０７に実質的に平行な方向における幅１１１と、付着ライン１０７に実質的に垂直な方向における高さ１１２と、を有する。このように、前壁１０３および後壁１０４の内側表面とのフラップの接触表面は増大することができ、フラップの開放位置での固定が改善される。好適な実施形態では、（付着ライン１０７からフラップの自由端部まで測定した）フラップの高さは、付着ライン１０７から第１の壁１０１の上端部（ここで第１の壁１０１が第２の壁１０２に結合する）までの距離より大きい。このような実施形態では、フラップの自由端部は、第１の壁１０１と第２の壁１０２とが結合する地点から距離をおいて、第２の壁１０２に係合し、これにより、フラップの後ろで、なおかつ、第１の壁１０１と第２の壁１０２との交点により形成される角の間におけるエリアが遮断される。このようにして形成されたフラップは、これにより、物体が箱１００から分配されずに箱１００内部に捕捉される可能性を軽減する。
【００２５】
本発明の他の実施形態では、タブ１１０およびフラップの形態は、三角形、マルチアングル形状（multi-angle shape）、卵型、もしくは円形、または、本発明の所望の効果を達成することができる任意の他の適切な形状を含む群から選択され得る。
【００２６】
タブ１１０、およびタブから形成されるフラップは、第１の壁１０１と端壁、例えば第２の端壁１０２との間のエッジと、付着ライン１０７との間の距離１１３より長い高さ１１２を有し得る。フラップは、その後、第２の端壁１０２に向かってチャンバ内へと旋回可能であり、第２の端壁１０２の内側表面と係合して、開放位置におけるフラップの固定を容易にする。箱１００の側面の数が六個（６個）未満である場合、２つの側面間の角度は低減され得、壁と壁との間の距離がより短くなり、その結果、フラップが旋回する方向の壁の内側表面とフラップが接触するまでフラップが旋回する距離が短くなる。
【００２７】
タブ１１０の幅１１１は、第１の壁１０１の幅と実質的に等しくてよい。フラップの幅が第１の壁１０１の幅と等しい場合、前壁１０３および後壁１０４の内壁と、フラップの側部エッジとの間の接触を達成することができ、フラップを開放位置に固定することができる。タブ１１０、およびタブから形成されるフラップが、矩形など、実質的に直角であり、フラップの幅が、第１の壁１０１の幅と実質的に等しい場合、前壁１０３および後壁１０４の内側表面と、フラップの側部エッジとの間の接触は増大でき、開放位置におけるフラップの固定が改善される。
【００２８】
別の実施形態では、タブ１１０、およびタブから形成されるフラップは、第１の壁１０１の幅より大きい幅１１１を有し、脆弱化ラインは、第１の壁１０１と前壁１０３および後壁１０４との間のエッジの周りにいくらか延びる。このように、フラップは、前壁１０３と後壁１０４との間の距離の間に完全に嵌まらず、これにより、チャンバのかなりの部分に面するフラップの側面において、いくらか凹状に湾曲する。より具体的には、フラップが前壁１０３と後壁１０４との間の距離より広い場合、フラップは、第１の壁１０１の開口部に向く方向に凹状に湾曲し、フラップの側部エッジは、前壁１０３および後壁１０４に係合して、フラップが第１の壁１０１に向かって後ろに動くのに抵抗する。
【００２９】
箱１００は、少なくとも１つの外側ケーシング１１４と、外側ケーシング１１４内部に入れ子式に受容される少なくとも１つの内側ケーシング１１５と、をさらに含むことができる。脆弱化ラインにより画定されるタブは、その後、前述したような形で、内側ケーシング１１５上に配列される。内側ケーシング１１５は、外側ケーシング１１４内部にスライド可能に収容され、したがって、第１の閉鎖構成と第２の開放構成との間で動くことができる。閉鎖構成では、内側ケーシング１１５は、後退し、外側ケーシング１１４は、脆弱化ラインにより画定されたタブ１１０を覆って位置し、タブ１１０を完全に隠す。開放構成では、内側ケーシング１１５は、図１〜図３に示す例示的な実施形態に示すように、外側ケーシング１１４からある距離だけスライド可能に延び、脆弱化ラインにより画定されるタブ１１０は、少なくとも部分的に露出される。開放位置では、脆弱化ラインは、破損され得、よって、前述したような方式で、フラップ１１０を形成する。フラップ１１０は次に、前述したような方式などで、箱１００内部のチャンバ内へ旋回されることができる。フラップ１１０は、箱１００内部のチャンバ内へ内側に旋回するので、内側ケーシング１１５は、内側ケーシング１１５を外側ケーシング１１４内へ後退させることによって、外側ケーシング１１４内部の閉鎖位置へと依然としてスライドすることができる。外側ケーシング１１４は次に、フラップ１１０を箱１００内部のチャンバ内へ旋回させることにより形成された開口部を覆って位置付けられる。このようにして、脆弱化ラインが破損されるか、または破損されていない形態で、干渉の証拠が確実となると同時に、箱１００内部のチャンバ内で運ばれる物体の、より容易で制御された分配が確実となり、また、物体を箱内部に維持するための閉鎖機構が提供される。
【００３０】
一実施形態では、外側ケーシング１１４は、矩形の基部を備えた直角平行六面体のように見え、箱１００の底部、および４つの面で作られた側壁を形成している。外側ケーシング１１４は、底部に対向し、かつ内側ケーシング１１５を収容するのに役立つ開口端部を呈する。内側ケーシング１１５は、同じように、矩形の基部を有する平行六面体のように見え、箱１００の上部、４つの面で作られた側壁、および矩形の基部に対向する開口端部を形成している。脆弱化ラインにより画定されるタブ１１０は、内側ケーシング１１５の側壁の４つの面のうちの１つに配される。
【００３１】
内側ケーシング１１５は、その開口端部を先頭にして、外側ケーシング１１４内に挿入され、内側ケーシング１１５の基部は、箱１００の上部を形成し、外側ケーシング１１４の基部は、箱１００の底部を形成する。内側ケーシング１１５は、閉鎖構成であっても、外側ケーシング１１４の底部に達することなく、外側ケーシング１１４内の途中まで嵌まるのみであるようにサイズ決めされ得る。内側ケーシング１１５および外側ケーシング１１４は、製品が収容される箱１００内部のチャンバの境界を定めるように組み合わせられる。箱１００内部のチャンバの容量は、互いにスライド可能なケーシング１１４、１１５が互いに対して転置される際に変化し得ることが、理解されるであろう。箱１００内部のチャンバは、フラップが内側ケーシング１１５の基部または箱１００の上部に向かってチャンバ内へと旋回した場合に形成される開口部によって、外部と連絡している。よって、タブ１１０が形成される、内側ケーシング１１５の側壁の４つの面のうちの１つは、図１〜図３に開示する実施形態に従って第１の壁１０１を呈し、内側ケーシング１１５の基部または箱１００の上部は、図１〜図３に開示する実施形態における第２の壁１０２を呈する。内側ケーシング１１５は、（図３に示す）箱１００の長さ方向軸Ｘに沿って、後退状態、すなわち前述した閉鎖構成と、図３に示す開放構成との間をスライドする。
【００３２】
閉鎖構成では、外側ケーシング１１４の開口端部を画定する外側ケーシング１１４の側壁のエッジは、内側ケーシング１１５の側壁と基部との間のエッジと実質的に同一平面である。タブ１１０により形成されたフラップが箱１００内部のチャンバ内へと旋回することによって形成される開口部は、外側ケーシング１１４の側壁によって進められる（breasted）。開放構成では、内側ケーシング１１５は、外側ケーシング１１４から外側にスライドし、タブ１１０により形成されたフラップを箱１００内部のチャンバ内へと旋回することによって形成される開口部は、外側ケーシング１１４の開口端部を画定する外側ケーシング１１４の側壁のエッジより上で露出される。
【００３３】
一実施形態では、内側ケーシング１１５は、矩形の基部に対向する閉鎖端部を有し、開口端部の代わりに、さらに別の矩形の基部が得られる。この実施形態では、箱内の環境は、より良好に周囲から隔離されているので、ニコチンなど、周囲に敏感な物質を含む物体が、より良好に保持されることができ、また、その貯蔵寿命が改善される。
【００３４】
安定化手段が、内側ケーシング１１５と外側ケーシング１１４との間に置かれて配されてよく、これは、開放構成および閉鎖構成それぞれを安定させるのに役立ち、箱１００は、使用中でないときに偶発的に開かないし、また、中身が分配されている間に偶発的に閉じない。このような安定化手段は、それらが作製される材料、概してボール紙、紙、積層体、Barex（登録商標）(Barex（登録商標）は、アクリロニトリルとメタクリレートとのコポリマーである）、またはプラスチック、の柔軟な性質を活用することにより、機能する。したがって、この場合、このような手段は、可撓性安定化手段とされる。さらに正確には、安定化手段は、外側ケーシング１１４の側壁および内側ケーシング１１５の側壁に蝶番式に取り付けられ、かつ外側ケーシング１１４の前述した側壁とスライド接触して進められる、少なくとも１つの接続付属物を含む。この付属物は、例えば、内側ケーシング１１５の開口端部を画定するエッジに取り付けられてよく、付属物の他端部において、付属物は、外側ケーシング１１４の側壁の内側に取り付けられることができる。本発明で使用され得る安定化手段の例が、ＷＯ２００６／１３１８３の、例えば７ページ２３行からおおよそ１０ページまでと、図８Ａ、図８Ｂおよび図８Ｃと、に図示され説明されている。
【００３５】
図１の例示的な実施形態では、ロック部材１１６が示されている。ロック部材１１６は、内側ケーシング１１５の側壁の外側に、例えば第１の壁１０１の一部として形成される、隆起エッジを提供することにより作られることができる。箱１００の閉鎖構成では、すなわち、内側ケーシング１１５が外側ケーシング１１４内で後退位置にある場合、内側ケーシング１１５の隆起エッジは、第１の壁１０１の一部として形成された外側ケーシング１１４の一部の内側など、外側ケーシング１１４の対応する側壁の内側における対応する隆起エッジに係合する。内側ケーシング１１５の隆起エッジが内側に押されると、外側ケーシング１１４の隆起エッジとの係合が緩み、これにより、内側ケーシング１１５は、図３に示す長さ方向軸Ｘに沿って外側にスライドすることができる。内側ケーシング１１５の隆起エッジを押すことは、箱１００の外側の対応する位置に印をつけることによって、容易になる。隆起エッジを押すことは、この対応する位置における外側ケーシング１１４の側壁の貫通スロットによってさらに容易になり、このスロットは、スロット上の少なくとも１つの地点において係合位置に実質的に対応する。これにより、同時に外側ケーシング１１５を同じ方向に動かさずに内側ケーシング１１５の隆起エッジをさらに内側に押すことが可能となる。好ましくは、このスロットは湾曲しており、これにより、押すことがさらに容易になる。
【００３６】
本発明は、特定の実施形態に関して前述されてきたが、本明細書に記載する特定の形態に限定されることを意図してはいない。むしろ、本発明は、請求項によってのみ限定されるものであり、前記した特定のもの以外の実施形態は、請求項の範囲内で、等しく可能である。本発明の趣旨および範囲から逸脱せずに、さまざまな追加、改変、および置換を行うことができる。具体的には、本発明は、本発明の趣旨または本質的な特徴から逸脱せずに、他の特定の形態、構造、配列、割合で、また、他の要素、材料、および構成要素を備えて、具体化され得ることが、当業者には明らかであろう。当業者は、本発明が、本発明の実施において使用され、本発明の原理から逸脱せずに特定の環境および動作要件に特に適合された、構造、配列、割合、材料、および構成要素その他の多くの改変と共に使用され得ることを、理解するであろう。
【００３７】
請求項において、用語「含む（comprises/comprising）」は、他の要素または工程の存在を排除するものではない。さらに、個別に記載したが、複数の手段、要素、または方法工程は、例えば単一のユニットまたはプロセッサによって実行され得る。加えて、個々の特徴が異なる請求項に含まれ得るが、これらは、恐らくは、有利なことに組み合わせられてよく、また、異なる請求項に含まれることは、特徴の組み合わせが実行可能ではない、かつ／または有利ではないことを示すものではない。さらに、単数形での言及は、複数形を排除するものではない。用語「１つの（"a", "an"）」、「第１の」、「第２の」などは、複数のものを除外するものではない。請求項中の参照符号は、単に、明確にする例として提供されただけであり、いかなる形であれ請求項の範囲を制限するものと解釈されてはならない。
【００３８】
〔実施の態様〕
（１）  多量の包装されていない物体を運ぶための箱において、
前記多量の包装されていない物体を運ぶためのチャンバを囲む壁と、
前記箱の第１の壁に画定されるフラップと、
を含み、
前記フラップは、付着ラインに沿って前記第１の壁に蝶番式に取り付けられ、前記フラップは、前記付着ラインに沿って、かつ角度をなして前記第１の壁のエッジに連結された第２の壁に向かって、前記箱の前記チャンバ内へと旋回可能であり、前記フラップは、第１の方向における幅、および前記幅に実質的に垂直であり、前記付着ラインから前記フラップの自由端部まで延びる、第２の方向における高さを有し、
前記付着ラインは、前記第２の壁が連結される前記第１の壁の前記エッジから離間し、かつ前記エッジの方向に沿って延び、
前記フラップの前記高さは、前記付着ラインと、前記第２の壁が連結される前記第１の壁の前記エッジとの間の距離より長い、箱。
（２）  実施態様１に記載の箱において、
前記箱は、直角な六面の箱であり、前壁、前記前壁から離間した後壁、前記前壁および前記後壁の対向する第１のエッジを接続する第１の側壁、前記対向する第１のエッジから離間した前記前壁および前記後壁の対向する第２のエッジを接続し、前記第１の側壁から離間した、第２の側壁、前記側壁と前記前壁および前記後壁それぞれとの間の第１の端壁、ならびに前記第１の端壁から離間し、前記側壁と前記前壁および後壁それぞれとの間の第２の端壁を備え、
前記第１の壁は、前記側壁のうちの１つ、前記前壁、または前記後壁であり、
前記第２の壁は、前記端壁のうちの１つである、箱。
（３）  実施態様１に記載の箱において、
前記フラップは、実質的に直角であるか、マルチアングル状であるか、卵型であるか、または丸みを帯びている、箱。
（４）  実施態様１に記載の箱において、
前記フラップの前記幅は、前記第１の壁の幅と少なくとも等しい、箱。
（５）  実施態様１に記載の箱において、
前記フラップは、脆弱化ラインによって前記第１の壁に画定されたタブにより形成される、箱。
【００３９】
（６）  実施態様５に記載の箱において、
前記脆弱化ラインは、貫通しない脆弱化ラインである、箱。
（７）  実施態様６に記載の箱において、
前記貫通しない脆弱化ラインは、ノッチラインである、箱。
（８）  実施態様１に記載の箱において、
前記箱は、少なくとも１つの外側ケーシング、および前記外側ケーシング内部にスライド可能に収容される少なくとも１つの内側ケーシングを含み、前記外側ケーシングおよび内側ケーシングは、第１の閉鎖構成と第２の開放構成との間で相対的に移動することができる、箱。
（９）  実施態様８に記載の箱において、
前記外側ケーシングは、前記箱の底部を呈する基部、側壁、および、前記基部に対向し、前記内側ケーシングを収容するのに役立つ開口端部を含み、
前記内側ケーシングは、前記箱の上部を呈する基部、および側壁を含む、箱。
（１０）  実施態様９に記載の箱において、
前記第１の壁は、前記内側ケーシングの前記側壁から形成される、箱。
【００４０】
（１１）  実施態様１０に記載の箱において、
前記第２の壁は、前記箱の前記上部である、箱。
（１２）  実施態様９に記載の箱において、
前記第２の壁は、前記箱の前記上部である、箱。
（１３）  実施態様９に記載の箱において、
前記内側ケーシングは、その前記基部に対向する開口端部をさらに含む、箱。
（１４）  実施態様９に記載の箱において、
前記内側ケーシングは、前記第１の基部に対向する第２の基部を形成する閉鎖端部をさらに含む、箱。
（１５）  実施態様８に記載の箱において、
前記第１の壁は、前記内側ケーシング上の壁である、箱。
【００４１】
（１６）  実施態様８に記載の箱において、
前記内側ケーシングは、前記箱の上部を形成する基部を含み、
前記箱の前記上部は、前記第２の側部である、箱。
（１７）  実施態様１に記載の箱において、
前記箱は、ボール紙、紙、ポリマー、例えばジメチル−２，６−ナフタレンジカルボン酸または２，６−ナフタレンジカルボン酸モノマーベースのポリマー、例えばポリエチレンナフタレート（ＰＥＮ）またはポリトリメチレンナフタレート（ＰＴＮ）、アクリロニトリルとメタクリレートとのコポリマー、および液晶ポリマー、ならびにこれらの任意の組み合わせからなる群から選択された材料から製造される、箱。
（１８）  実施態様１７に記載の箱において、
前記壁は、少なくとも２枚のシートの積層体であり、
前記シートはそれぞれ、ボール紙、紙、ポリマー、例えばジメチル−２，６−ナフタレンジカルボン酸または２，６−ナフタレンジカルボン酸モノマーベースのポリマー、例えばポリエチレンナフタレート（ＰＥＮ）またはポリトリメチレンナフタレート（ＰＴＮ）、アクリロニトリルとメタクリレートとのコポリマー、および液晶ポリマー、ならびにこれらの任意の組み合わせからなる群から選択される材料で形成される、箱。
（１９）  実施態様１に記載の箱において、
前記箱は、たばこ依存症を治療するための１つまたは複数の物質を含む、固体または半固体の製薬剤形のためのパッケージである、箱。
（２０）  実施態様１９に記載の箱において、
前記固体または半固体の製薬剤形は、チューインガム、トローチ剤、および錠剤からなる群から選択される、箱。
【００４２】
（２１）  実施態様１９に記載の箱において、
前記たばこ依存症を治療するための物質は、ニコチン、およびその任意の形態である、箱。
【図面の簡単な説明】
【００４３】
【図１】本発明の一実施形態による箱の正面図である。
【図２】本発明の一実施形態による箱の側面図である。
【図３】本発明の一実施形態による箱の側面図であり、フラップが最終開放位置まで旋回される際の中間位置において、旋回したフラップが極めて細い線で示されている。
【図４】図３のような箱の側面図であるが、フラップが、最終開放位置まで旋回している。
【図１】
0005863811.tif 000002
【図２】
0005863811.tif 000003
【図３】
0005863811.tif 000004
【図４】
0005863811.tif 000005